(57)【要約】【課題】設置された店舗へのより高い顧客誘引効果を発揮させる。【解決手段】各店舗に設置される他のデジタルサイネージ装置（２）と通信ネットワークを介してデータ送受信可能に接続されるデジタルサイネージ装置（２）において、制御部２３は、表示部に表示された抽選画像に対する操作に応じて抽選を実行し、抽選の結果が当たり状態である場合に、その当たり状態である旨の情報を、通信部（２６）を介して他のデジタルサイネージ装置（２）に送信し、他のデジタルサイネージ装置（２）から当たり状態である旨の情報を受信した場合に、抽選の抽選条件の設定変更を行う。【選択図】図２
2014203236.tif 000002
【特許請求の範囲】
【請求項１】
他の端末装置とデータ送受信可能に接続される端末装置において、
ユーザ操作に応じて抽選を実行する抽選手段と、
前記抽選手段による抽選の結果が当たり状態である場合に、当該当たり状態である旨の情報を前記他の端末装置に送信する通信制御手段、
前記他の端末装置から前記当たり状態である旨の情報を受信した場合に、前記抽選の抽選条件の設定変更を行う設定変更手段と、
を備えることを特徴とする端末装置。
【請求項２】
前記抽選手段は、表示部に表示された抽選画像に対するユーザ操作に応じて抽選を実行することを特徴とする請求項１に記載の端末装置。
【請求項３】
前記当たり状態である旨の情報を送信する前記他の端末装置に関する送信条件を記憶する記憶手段を備え、
前記通信制御手段は、前記送信条件を満たす前記他の端末装置に前記当たり状態である旨の情報を送信することを特徴とする請求項１または２に記載の端末装置。
【請求項４】
前記抽選手段は、前記抽選の実行中に前記他の端末装置から当たり状態である旨の情報を受信した場合に、前記抽選を中断して前記設定変更手段による当該抽選条件の設定変更を行った後の抽選条件にて抽選を再開することを特徴とする請求項１〜３の何れか一項に記載の端末装置。
【請求項５】
前記通信制御手段は、前記抽選の結果が当たり状態である旨の情報を他の端末装置に送信してから予め決められた時間が経過した場合、予め決められた時間が経過した旨の情報を前記他の端末装置に送信し、
前記設定変更手段は、前記他の端末装置から前記予め決められた時間が経過した旨の情報を受信した場合に、前記抽選の抽選条件を元に戻すことを特徴とする請求項１〜４の何れか一項に記載の端末装置。
【請求項６】
前記設定変更手段は、前記抽選の実行中に前記予め決められた時間が経過した旨の情報を受信した場合に、前記抽選手段による前記実行中の抽選を実行完了後に、前記抽選の抽選条件を元に戻すことを特徴とする請求項５に記載の端末装置。
【請求項７】
互いにデータ送受信可能に接続される複数の端末装置を備える抽選システムにおいて、
各端末装置は、
ユーザ操作に応じて抽選を実行する抽選手段と、
前記抽選手段による抽選の結果が当たり状態である場合に、当該当たり状態である旨の情報を前記他の端末装置に送信する通信制御手段と、
前記他の端末装置から前記当たり状態である旨の情報を受信した場合に、前記抽選の抽選条件の設定変更を行う設定変更手段と、
を備えることを特徴とする抽選システム。
【請求項８】
他の端末装置にデータ送受信可能に接続される端末装置のコンピュータを、
ユーザ操作に応じて抽選を実行する抽選手段、
前記抽選手段による抽選の結果が当たり状態である場合に、当該当たり状態である旨の情報を前記他の端末装置に送信する通信制御手段、
前記他の端末装置から前記当たり状態である旨の情報を受信した場合に、前記抽選の抽選条件の設定変更を行う設定変更手段、
として機能させるためのプログラム。
【発明の詳細な説明】
【技術分野】
【０００１】
本発明は、端末装置、抽選システム及びプログラムに関する。
【背景技術】
【０００２】
従来、例えばデジタルサイネージ装置などの端末装置においては、広告画像の内容を容易に変更することができるため、最新の情報を常に閲覧者に提供できる点で優れた広告効果を発揮する（例えば特許文献１参照）。
【先行技術文献】
【特許文献】
【０００３】
【特許文献１】特開２０１２−１２８２１０号公報
【発明の概要】
【発明が解決しようとする課題】
【０００４】
ところで、複数の店舗からなる施設においては、店舗毎に設置されている端末装置を利用して、各店舗への顧客の誘引効果をより高めることが望まれている。
本発明の課題は、設置された店舗へのより高い顧客誘引効果を発揮させることである。
【課題を解決するための手段】
【０００５】
請求項１に記載の発明の端末装置は、他の端末装置とデータ送受信可能に接続される端末装置において、ユーザ操作に応じて抽選を実行する抽選手段と、前記抽選手段による抽選の結果が当たり状態である場合に、当該当たり状態である旨の情報を前記他の端末装置に送信する通信制御手段、前記他の端末装置から前記当たり状態である旨の情報を受信した場合に、前記抽選の抽選条件の設定変更を行う設定変更手段と、を備えることを特徴とする。
【０００６】
請求項７に記載の発明の抽選システムは、互いにデータ送受信可能に接続される複数の端末装置を備える抽選システムにおいて、各端末装置は、ユーザ操作に応じて抽選を実行する抽選手段と、前記抽選手段による抽選の結果が当たり状態である場合に、当該当たり状態である旨の情報を前記他の端末装置に送信する通信制御手段と、前記他の端末装置から前記当たり状態である旨の情報を受信した場合に、前記抽選の抽選条件の設定変更を行う設定変更手段と、を備えることを特徴とする。
【０００７】
請求項８に記載の発明のプログラムは、他の端末装置にデータ送受信可能に接続される端末装置のコンピュータを、ユーザ操作に応じて抽選を実行する抽選手段、前記抽選手段による抽選の結果が当たり状態である場合に、当該当たり状態である旨の情報を前記他の端末装置に送信する通信制御手段、前記他の端末装置から前記当たり状態である旨の情報を受信した場合に、前記抽選の抽選条件の設定変更を行う設定変更手段、として機能させるためのプログラムである。
【発明の効果】
【０００８】
本発明によれば、設置された店舗へのより高い顧客誘引効果を発揮することができる。
【図面の簡単な説明】
【０００９】
【図１】本発明の実施形態に係る抽選システムの全体構成例を示す図である。
【図２】本発明の実施形態に係るデジタルサイネージ装置の機能構成を示すブロック図である。
【図３】図２のデジタルサイネージ装置のスクリーン部の概略構成を示す図である。
【図４】抽選システムにより実行される抽選処理の流れを示すフローチャートである。
【図５】福引き形式のくじ画像が表示部に表示されている様子を示す図である。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
抽選システム１は、図１に示すように、端末装置として複数のデジタルサイネージ装置２を備える。デジタルサイネージ装置２同士は通信ネットワークＮを介して接続されている。通信ネットワークＮは、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。本実施形態においては、複数のデジタルサイネージ装置２は、例えば、ピアツーピア（Peer to Peer）型ネットワークで接続されている。
【００１２】
先ず、図２を参照して、デジタルサイネージ装置２の機能構成を説明する。デジタルサイネージ装置２は、図２に示すように、映像光を照射する投影部２１と、投影部２１から照射された映像光を背面で受けて前面に投影するスクリーン部２２とを備えている。
【００１３】
投影部２１は、デジタルサイネージ装置２の各部を制御する制御部２３と、各種処理プログラムや各コンテンツデータを記憶する記憶部２５と、制御部２３から出力制御されたコンテンツの映像データを映像光に変換してスクリーン部２２に向けて照射するプロジェクタ２４と、通信ネットワークＮを介して他のデジタルサイネージ装置２と通信する通信手段としての通信部２６とを備えている。
【００１４】
スクリーン部２２は、図３に示すように、四角状の表示部２７と、表示部２７の上部に設けられたカメラなどの撮像部３０と、表示部２７を支持する台座２８とが備えられている。
なお、デジタルサイネージ装置の実施形態としては、スクリーン部２２に代えて、ＬＣＤ（Liquid Crystal Display）、ＥＬＤ（Electro Luminescent Display）等により構成された表示部を備える表示装置に映像データを表示させる構成でもよい。
【００１５】
表示部２７は、映像光の照射方向に対して略直交する例えばアクリル板などの一枚の透光板２９により形成されている。透光板２９の背面には背面投影用のフィルムスクリーンが積層され、なおかつフィルムスクリーンの背面にはフィルム状のフレネルレンズが積層されている。
【００１６】
台座２８には、携帯電話やＩＣカード等の機器に対して情報を読み書きするためのリーダライタ部３１と、ボタン式の操作部３２と、スピーカなどの音声出力部３３と、マイクなどの音声入力部３４と、クーポン券等に印刷されたバーコード情報を読み込むバーコードリーダ部３５と、クーポン券等を印刷するための印刷部３６が設けられている。リーダライタ部３１、操作部３２、音声出力部３３、音声入力部３４及び撮像部３０は、図２に示すように制御部２３に接続されている。
【００１７】
記憶部２５は、磁気記録媒体を有するＨＤＤ（Hard Disk Drive）、不揮発性の半導体メモリ等により構成される。記憶部２５には、図２に示すように、プログラム記憶部２５０、店舗情報記憶部２５１が設けられている。また、くじ引きの実行等において使用されるコンテンツデータが記憶されている。
【００１８】
プログラム記憶部２５０には、システムプログラムや処理プログラムおよびこれらのプログラムの実行に必要なデータが記憶されている。処理プログラムには、抽選（以下、くじ、またはくじ引きともいう。）の当たり確率とその中での大当たり確率を指定する抽選条件設定プログラムおよび乱数発生プログラム、通信制御プログラム、抽選条件設定変更プログラムを含む。
【００１９】
店舗情報記憶部２５１には、店舗に関する情報および、自己のデジタルサイネージ装置２の抽選において当たり状態が出た場合における送信先のデジタルサイネージ装置２の情報（送信条件の情報）、店舗のクーポン情報等が記憶されている。
店舗に関する情報とは、例えば、店舗の業種、その店舗と提携店舗同士にある他の店舗の情報、施設が複数の地区に分割されている場合におけるその店舗がどの地区に位置しているかを示す情報、などの情報である。
【００２０】
制御部２３は、デジタルサイネージ装置２の各部を制御する。制御部２３は、操作部３２からの操作指示に基づいて、操作内容に関連したコンテンツデータを記憶部２５から読み出し、プロジェクタ２４及び音声出力部３３を制御して例えば広告画像・音声を出力させる。また、制御部２３は、撮像部３０から得られた画像や、音声入力部３４から得られた音声を解析し、その解析内容に関連したコンテンツデータを記憶部２５から読み出して、プロジェクタ２４及び音声出力部３３を制御して画像・音声を出力させる。
また、制御部２３は、抽選条件設定プログラムおよび乱数発生プログラムにより抽選を実行する。かかる処理を実行することにより、制御部２３は、抽選手段として機能する。
また、制御部２３は、通信制御プログラムにより、店舗情報記憶部２５１に記憶されている送信条件に基づき、その送信条件を満たす他のデジタルサイネージ装置２に自己のデジタルサイネージ装置２における抽選の結果が当たり状態である旨の情報を送信するとともに、他のデジタルサイネージ装置２からその装置における抽選の結果が当たり状態である旨の情報を受信する。かかる処理を実行することで、制御部２３は、通信制御手段として機能する。
また、制御部２３は、抽選条件設定変更プログラムにより、他のデジタルサイネージ装置２から当たり状態である旨の情報を受信した場合に、自己の抽選における抽選条件の設定変更を行う。かかる処理を実行することで、制御部２３は、設定変更手段として機能する。
【００２１】
リーダライタ部３１は、ＮＦＣ（Near Field Communication）などの近距離無線通信技術によって携帯電話やＩＣカード等と通信しそれらの機器に対して情報を読み書きする。すなわち、携帯電話やＩＣカードがリーダライタ部３１にかざされると、読み取り時においてはそれらの機器に記憶されている情報を読み出し、他方、書き込み時は、書き込み情報をそれらの機器に対して通信して、それらの機器に書き込み情報を記憶させる。
【００２２】
撮像部３０は、表示部２７に対向する空間の映像をリアルタイムに撮像する。
【００２３】
次に、本実施形態の抽選システム１において実行される抽選処理の動作について、図４を参照して説明する。
抽選システム１におけるデジタルサイネージ装置２の処理は、制御部２３と記憶部２５に記憶されている各種プログラムとの協働により実行される。
また、以下の説明では、例として、ショッピングモールや商店街、ショッピングセンター、アウトレットモール等の商業施設（以下、施設という。）の構成店舗の各店舗に１台デジタルサイネージ装置２が設置されており、それらのデジタルサイネージ装置２がピアツーピア（Peer to Peer）型ネットワークで接続されているものとする。
【００２４】
先ず、デジタルサイネージ装置２の制御部２３は、くじ画像が表示部２７に表示された状態で、ユーザによる操作部３２の操作指示に応じて、くじ引きを実行する（ステップＳ１）。具体的には、くじ引きの実行に際して、例えば、図５に示す福引き形式のくじ画像Ｐを表示部２７に表示させるとともに、くじ引きに関する音声案内を音声出力部３３に出力させる。
くじ引きは、具体的には、くじ条件として設定された当選確率に相当する数を当選番号と設定し、乱数を発生させ、得られた数字が、当選番号として設定された数であった場合に「当たり」とし、さらに、当選番号の内で大当たり番号として設定された数であった場合に「大当たり」とし、当選番号以外を「外れ」とする。これらがくじ条件として設定される。より具体的には、当選確率は「３０％」である場合であって、０〜９の値を均等な確率で発生させる乱数を用いる場合、このうちの３つを当選番号とし、その内１つを大当たり番号と設定しておけば、３０％の確率で当たりが出ることになり、その内１０％が大当たりとなる。
なお、くじ引きの実行に際しては、くじ画像が表示部２７に表示された状態であることが必要条件ではなく、単に、ユーザによる操作部３２の操作指示に応じて、くじ引きを実行するようにしてもよい。
【００２５】
次に、制御部２３は、くじ引き結果が当たりであるか否かを判断する（ステップＳ２）。くじ引き結果が当たりであると判断すると（ステップＳ２；ＹＥＳ）、ステップＳ４に移行する。くじ引き結果が当たりでないと判断すると（ステップＳ２；ＮＯ）、ステップＳ３において外れ処理を行う。具体的には、くじ引き結果が外れである旨の表示を表示部２７に行う。
【００２６】
ステップＳ４において、制御部２３は、当たりが大当たりであるか否か判断する。当たりが大当たりであると判断すると（ステップＳ４；ＹＥＳ）、ステップＳ６に移行して、制御部２３は、大当たり処理を行う、一方、当たりが大当たりでないと判断すると（ステップＳ４；ＮＯ）、ステップＳ６に移行して、当たり処理を行う。
【００２７】
当たり処理とは、くじ引き結果が当たりである旨の表示を表示部２７に行うとともに、くじを引いたユーザに景品を渡すための処理をいう。例えば、制御部２３は、くじ引き結果が当たりである旨の表示を表示部２７に行うとともに、記憶部２５の店舗情報記憶部２５１に記憶されている店舗のクーポン情報を読み出して、その情報に基づき、金券、割引券、優待券として使用できるクーポンをデジタルサイネージ装置２の印刷部３６にて印刷する。
【００２８】
大当たり処理は、くじ引き結果が大当たりであるとの結果、および、これからサービスタイムへ突入する旨および、サービスタイムに突入するデジタルサイネージ装置２の設置場所を表示部２７および音声出力部３３によりユーザに報知する処理である。加えて、大当たり処理では、当たりの場合よりも景品やクーポンの価値を高くする処理を行う。
【００２９】
次に、制御部２３は、通信部２６を介して、大当たり通知の情報を、ピアツーピア型ネットワークにより他のデジタルサイネージ装置２に送信する（ステップＳ７）。送信に際しては、他のデジタルサイネージ装置２の店舗情報記憶部２５１の各種情報を参照する。
送信先は、ピアツーピア型ネットワークを介して接続されているショッピングモール内の全ての他のデジタルサイネージ装置２である。また、送信先が、所定の店舗に関する条件を満たす店舗に設置されているデジタルサイネージ装置２であるとの設定がされている場合には、当該条件に合致するデジタルサイネージ装置２に限定して大当たり通知の情報を送信する。所定の店舗に関する条件とは、例えば、店舗が同じ業種であること、その店舗と提携店舗同士である他の店舗であること、ショッピングモール内が分割された地区に区分されている場合におけるその店舗と同じ地区に存在する他の店舗であることである。
【００３０】
次に、ステップＳ８にて、大当たり通知の情報を受信したデジタルサイネージ装置２の制御部２３は、その通知の情報を受けた際にくじ引きの実行中であるか否か判断して（ステップＳ９）、くじ引き中であると判断すると（ステップＳ９；ＹＥＳ）、ステップＳ１０に移行して、そのくじ引き実行を一時中断し、その後、ステップＳ１１に移行する。一方、くじ引き中ではないと判断すると（ステップＳ９；ＮＯ）、ステップＳ１１に移行して、サービスタイム突入処理を実行する。
【００３１】
サービスタイム突入処理とは、サービスタイムの時間中、くじ引きの条件設定を、くじの当選確率が高くなるように設定変更する高確率処理、または、当たった場合の景品等がより高価になるように設定変更する景品変更処理である。また、サービスタイム突入処理では、高確率処理及び景品変更処理を同時に行ってもよい。したがって、ユーザは、サービスタイムでない場合に比べて高い当選確率の設定、当選時により高価な景品が得られる設定にてくじ引きを行うことが出来る。
更に、サービスタイム突入処理として、大当たり通知の情報を受信したデジタルサイネージ装置２の制御部２３は、表示部２７および音声出力部３３によりサービスタイムに突入した旨を近くにいるユーザに報知する。
【００３２】
次に、大当たり通知の情報を受信したデジタルサイネージ装置２の制御部２３は、くじ引き実行が一時中断中であるか否か判断し（ステップＳ１２）、くじ引き実行が一時中断中であると判断すると（ステップＳ１２；ＹＥＳ）、一時中断していたくじ引きを再開する（ステップＳ１３）。一方、くじ引き実行が一時中断中でないと判断すると（ステップＳ１２；ＮＯ）、ステップＳ１６に移行する。
ステップＳ９からＳ１３では、抽選の実行中に他のデジタルサイネージ装置２から大当たり状態である旨の情報を受信した場合に、くじ引きの条件を設定変更した後のくじ引き条件にてくじ引きを行うことになる。
【００３３】
ステップＳ１からステップＳ１３により、例えば、ショッピングモールの構成店舗の各店舗に１台デジタルサイネージ装置２が設置されており、その装置でユーザがくじを引いて、例えば大当たりが出た場合、それに応じて他のデジタルサイネージ装置２のくじ引きの設定が連動して変わる。したがってくじを引いた結果がそこで完結するのではなく、その結果に応じてショッピングモールに設置した他のデジタルサイネージ装置２に波及する。
【００３４】
次に、大当たり通知の情報を送信したデジタルサイネージ装置２の制御部２３は、大当たり通知の情報を送信してから一定時間が経過したか否か判断し（ステップＳ１４）、大当たり通知の情報を送信してから一定時間が経過したと判断すると（ステップＳ１４；ＹＥＳ）、ステップＳ１５に移行して、サービスタイム終了の通知の情報を送信する。送信先は、大当たり通知の情報を送信した送信先であり、送信手法は、大当たり通知の情報を送信した際と同じ手法である。一方、大当たり通知の情報を送信してから一定時間が経過していないと判断すると（ステップＳ１４；ＮＯ）、ステップＳ１４に戻る。
【００３５】
次に、サービスタイム終了の通知の情報を受信したデジタルサイネージ装置２の制御部２３は、ステップＳ１７にて、その通知の情報を受信した際に、くじ引きの実行中であるか否か判断して（ステップＳ１７）、くじ引き中であると判断すると（ステップＳ１７；ＹＥＳ）、ステップＳ１８に移行して、そのくじ引きの終了を待ち、ステップＳ１９にてくじ引きの実行が終了したか否か判断して、くじ引きの実行が終了したと判断すると（ステップＳ１９；ＹＥＳ）、ステップＳ２０に移行してサービスタイムの終了処理を行う。くじ引きの実行が終了していないと判断すると（ステップＳ１９；ＮＯ）、ステップＳ１９に戻る。
ここで、サービスタイムの終了処理とは、くじの条件をもとに戻す処理をいう。
【００３６】
一方、サービスタイム終了の通知の情報を受信したデジタルサイネージ装置２の制御部２３は、ステップＳ１７にてくじ引き中でないと判断すると（ステップＳ１７；ＮＯ）、ステップＳ２０に移行してサービスタイムの終了処理を行う。サービスタイム終了通知とは、サービスタイムの時間中における変更されたくじ引きの条件設定を元の条件に戻す処理である。そして本処理を終了する。
【００３７】
以上のように、本実施形態の端末装置としてのデジタルサイネージ装置２は、各店舗に設置される他のデジタルサイネージ装置２と通信ネットワークＮを介してデータ送受信可能に接続される端末装置であって、所定の抽選を行うための抽選画像Ｐを表示する表示部２７と、所定の操作を行うための操作部３２と、他のデジタルサイネージ装置２と通信をするための通信部２６とを備え、制御部２３は、表示部２７に表示された抽選画像に対する所定の操作に基づいて、抽選を実行し、制御部２３は、その抽選の結果が当たり状態である場合に、当たり状態である旨の情報を、通信部２６を介して他のデジタルサイネージ装置２に送信するとともに、他のデジタルサイネージ装置２から当たり状態である旨の情報を、通信部２６を介して受信し、制御部２３は、他のデジタルサイネージ装置２から当たり状態である旨の情報を受信した場合に、抽選の抽選条件の設定変更を行う。
これにより、一のデジタルサイネージ装置２で引いたくじの結果がそこで完結するのではなく、その結果に応じて例えばショッピングモール等の施設の店舗に設置した他のデジタルサイネージ装置２に波及することとなり、設置された店舗へのより高い顧客誘引効果を発揮することのできる端末装置を提供することができる。
【００３８】
また、デジタルサイネージ装置２は、当たり状態である旨の情報を送信する他のデジタルサイネー装置２に関する送信条件を記憶する記憶部２５を備え、通信制御手段としての制御部２３は、送信条件を満たす他のデジタルサイネージ装置２に当たり状態である旨の情報を送信する。
これにより、顧客誘引効果を発揮させる店舗をきめ細かく制御することができる。
【００３９】
また、デジタルサイネージ装置２において、抽選手段としての制御部２３は、抽選の実行中に他のデジタルサイネージ装置２から当たり状態である旨の情報を通信部２６を介して受信した場合に、抽選条件の設定変更を行った後の抽選条件にて抽選結果を求める。
これにより、そのような顧客に対しても、きめ細かな対応を図ることができる。
【００４０】
また、通信制御手段としての制御部２３は、抽選の結果が当たり状態である旨の情報を他のデジタルサイネージ装置２に送信してから所定時間が経過した場合、所定時間が経過した旨の情報を他のデジタルサイネージ装置２に送信し、設定変更手段としての制御部２３は、他のデジタルサイネージ装置２から所定時間が経過した旨の情報を通信部２６を介して受信した場合、抽選の抽選条件を元に戻す。
これにより、顧客誘引効果を発揮させる時間的範囲をきめ細かく制御することができる。
【００４１】
また、設定変更手段としての制御部２３は、抽選の実行中に所定時間経過した旨の情報を受信した場合に、実行中の抽選を実行完了後に、抽選の抽選条件を元に戻す。
これにより、そのような顧客に対しても、きめ細かな対応を図ることができる。
【００４２】
また、本実施形態によれば、通信ネットワークを介して互いにデータ送受信可能に接続される複数のデジタルサイネージ装置２を備える抽選システム１において、各デジタルサイネージ装置２は、所定の抽選を行うための抽選画像Ｐを表示する表示部２７と、所定の操作を行うための操作部３２と、他のデジタルサイネージ装置２と通信をするための通信部２６とを備え、制御部２３は、表示部２７に表示された抽選画像に対する所定の操作に基づいて、抽選を実行し、制御部２３は、その抽選の結果が当たり状態である場合に、当たり状態である旨の情報を、通信部２６を介して他のデジタルサイネージ装置２に送信するとともに、他のデジタルサイネージ装置２から当たり状態である旨の情報を、通信部２６を介して受信し、制御部２３は、他のデジタルサイネージ装置２から当たり状態である旨の情報を受信した場合に、抽選の抽選条件の設定変更を行う。
これにより、一のデジタルサイネージ装置２で引いたくじの結果がそこで完結するのではなく、その結果に応じて例えばショッピングモール等の施設の店舗に設置した他のデジタルサイネージ装置２に波及することとなり、設置された店舗へのより高い顧客誘引効果を発揮することのできる抽選システムを提供することができる。
【００４３】
なお、本発明は上記実施形態に限らず適宜変更可能である。
例えば、本実施形態では、くじの結果が大当たりであったデジタルサイネージ装置２は、ステップＳ７において、大当たり通知の情報をピアツーピア型ネットワークにより他のデジタルサイネージ装置２に送信したが、ピアツーピア型ネットワークでなく、デジタルサイネージ装置２をクライアント端末としたクライアントサーバ型ネットワークを構築し、デジタルサイネージ装置２がサーバ装置に大当たり通知の情報を送信し、サーバ装置が、他のデジタルサイネージ装置２にその情報を転送してもよい。
【００４４】
また、大当たりくじ引きを実行したデジタルサイネージ装置２が、サーバ装置に大当たり通知の情報を送信し、サーバ装置が、他のデジタルサイネージ装置２にその情報を転送した場合においては、一定時間の経過をサーバ装置が判断し、サーバ装置が、サービスタイム終了の通知の情報を所定のデジタルサイネージ装置２に送信してもよい。
また、なお、一定時間が経過したか否かの判断は、大当たり通知の情報を受信した各デジタルサイネージ装置で行ってもよい。その場合、該受信した各デジタルサイネージ装置２は、受信してから計時を開始して一定時間が経過したか否かの判断をすることになる。
【００４５】
また、サービスタイムの終了条件は、一定時間経過した場合（ステップＳ１４）としているが、それに代えて、サービスタイム開始時から該当するデジタルサイネージ装置２の全体において、大当たりが一定回数発生した場合、又は、当たり若しくは大当たりが一定回数発生した場合等の当選回数を終了条件としてもよい。
【００４６】
具体的には、例えば、ネットワークが、ハイブリッドピアツーピア（Peer to Peer）型ネットワークである場合における、ネットワーク中のサーバ装置が構成デジタルサイネージ装置２からの該当情報を受信し、そのサーバ装置が受信情報から当選回数を計数し、当選回数が一定回数に達した場合にサービスタイム終了通知を、対象デジタルサイネージ装置２に送信してもよい。
また、デジタルサイネージ装置２をクライアント端末としたクライアントサーバ型ネットワークが構築され、デジタルサイネージ装置２がサーバ装置に大当たり通知の情報を送信し、サーバ装置が、他のデジタルサイネージ装置２にその情報を転送した場合において、サーバ装置が、当選回数の情報をデジタルサイネージ装置２から受信し、当選回数が一定回数に達した場合にサービスタイム終了通知を、対象デジタルサイネージ装置２に送信してもよい。
さらに、サービスタイムの終了条件を、サービスタイム開始時から該当する個々のデジタルサイネージ装置２において、大当たりが一定回数発生した場合、又は、当たり若しくは大当たりが一定回数発生した場合等の当選回数としてもよい。
【００４７】
また、ステップＳ７において大当たり通知を送信したデジタルサイネージ装置２の制御部２３は、施設のＷＥＢサイトやソーシャル・ネットワーキング・サービス（social networking service；SNS）を経由してサービスタイム突入処理の突入時刻、サービスタイムに突入するデジタルサイネージ装置２の設置場所等の情報を送信してもよい。
具体的には、その施設においてＷＥＢサイトを管理する図示しない情報処理装置に対して、そのデジタルサイネージ装置２の制御部２３は、かかる情報をアップロードするような内容の送信をしてもよい。
また、館内アナウンスを行う施設の放送設備（Public Address）に向けて、例えば、「ここでサービスタイムが始まっていますよ。どこかでサービスタイムが始まっているので、ぜひ探してみてください。」のような内容の音声信号を出力してもよい。
【００４８】
また、サービスタイム中（サービスタイム突入処理以降、サービスタイム終了処理までの間）に大当たりが出た場合の処理は、２次３次と更なるサービスタイムに移行してもよい。具体的には、２次のサービスタイムでは、サービスタイムの際よりも、さらにより当選確率を高くする、若しくは、さらに良い商品が当たる、又は、それらの処理を同時に行う。３次のサービスタイムでは、２次のサービスタイムに対して、さらにより当選確率を高くする、若しくは、さらに良い商品が当たる、又は、それらの処理を同時に行う。
【００４９】
また、ステップＳ５の当たり処理、Ｓ６における大当たり処理において、くじを引いたユーザに景品を渡すために、金券、割引券、優待券として使用できるクーポンをデジタルサイネージ装置２の印刷部３６にて印刷するようにしているが、以下のようにしてもよい。すなわち、制御部２３は、近距離無線通信機能を有する携帯電話がデジタルサイネージ装置２のリーダライタ部３１に接近した場合に、近距離無線通信により、リーダライタ部３１を介してクーポン情報をその携帯電話に送信するようにしてもよい。また、携帯電話の代わりに、ＩＣカードを使用してもよい。すなわち、制御部２３は、リーダライタ部３１を介して、ＩＣカードと通信し、クーポン情報をそのＩＣカードに送信するようにしてもよい。
【００５０】
また、くじ引き抽選時の画像として、図５に福引き形式のくじ画像で説明したが、抽選の結果の「当たり」と「外れ」を演出する形式は、福引きだけでなく、例えば、ルーレット、あみだくじ、じゃんけんであってもよい。即ち、抽選画像としては福引き画像の代わりに、ルーレット、あみだくじ、じゃんけん等の画像としてもよい。
【００５１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
〔付記〕
＜請求項１＞
他の端末装置とデータ送受信可能に接続される端末装置において、
ユーザ操作に応じて抽選を実行する抽選手段と、
前記抽選手段による抽選の結果が当たり状態である場合に、当該当たり状態である旨の情報を前記他の端末装置に送信する通信制御手段、
前記他の端末装置から前記当たり状態である旨の情報を受信した場合に、前記抽選の抽選条件の設定変更を行う設定変更手段と、
を備えることを特徴とする端末装置。
＜請求項２＞
前記抽選手段は、表示部に表示された抽選画像に対するユーザ操作に応じて抽選を実行することを特徴とする請求項１に記載の端末装置。
＜請求項３＞
前記当たり状態である旨の情報を送信する前記他の端末装置に関する送信条件を記憶する記憶手段を備え、
前記通信制御手段は、前記送信条件を満たす前記他の端末装置に前記当たり状態である旨の情報を送信することを特徴とする請求項１または２に記載の端末装置。
＜請求項４＞
前記抽選手段は、前記抽選の実行中に前記他の端末装置から当たり状態である旨の情報を受信した場合に、前記抽選を中断して前記設定変更手段による当該抽選条件の設定変更を行った後の抽選条件にて抽選を再開することを特徴とする請求項１〜３の何れか一項に記載の端末装置。
＜請求項５＞
前記通信制御手段は、前記抽選の結果が当たり状態である旨の情報を他の端末装置に送信してから予め決められた時間が経過した場合、予め決められた時間が経過した旨の情報を前記他の端末装置に送信し、
前記設定変更手段は、前記他の端末装置から前記予め決められた時間が経過した旨の情報を受信した場合に、前記抽選の抽選条件を元に戻すことを特徴とする請求項１〜４の何れか一項に記載の端末装置。
＜請求項６＞
前記設定変更手段は、前記抽選の実行中に前記予め決められた時間が経過した旨の情報を受信した場合に、前記抽選手段による前記実行中の抽選を実行完了後に、前記抽選の抽選条件を元に戻すことを特徴とする請求項５に記載の端末装置。
＜請求項７＞
互いにデータ送受信可能に接続される複数の端末装置を備える抽選システムにおいて、
各端末装置は、
ユーザ操作に応じて抽選を実行する抽選手段と、
前記抽選手段による抽選の結果が当たり状態である場合に、当該当たり状態である旨の情報を前記他の端末装置に送信する通信制御手段と、
前記他の端末装置から前記当たり状態である旨の情報を受信した場合に、前記抽選の抽選条件の設定変更を行う設定変更手段と、
を備えることを特徴とする抽選システム。
＜請求項８＞
他の端末装置にデータ送受信可能に接続される端末装置のコンピュータを、
ユーザ操作に応じて抽選を実行する抽選手段、
前記抽選手段による抽選の結果が当たり状態である場合に、当該当たり状態である旨の情報を前記他の端末装置に送信する通信制御手段、
前記他の端末装置から前記当たり状態である旨の情報を受信した場合に、前記抽選の抽選条件の設定変更を行う設定変更手段、
として機能させるためのプログラム。
【符号の説明】
【００５３】
１  抽選システム
２  デジタルサイネージ装置（端末装置）
２１  投影部
２２  スクリーン部
２３  制御部（抽選手段、通信制御手段、設定変更手段）
２４  プロジェクタ
２５  記憶部
２６  通信部
２７  表示部
２８  台座
２９  透光板
３０  撮像部
３１  リーダライタ部
３２  操作部
３３  音声出力部
３４  音声入力部
３５  バーコードリーダ部
３６  印刷部
【図１】
2014203236.tif 000003
【図２】
2014203236.tif 000004
【図３】
2014203236.tif 000005
【図４】
2014203236.tif 000006
【図５】
2014203236.tif 000007